(57)【要約】【課題】  回転側の電飾用素子への電源供給において誤動作をなくし、電飾用素子への電源供給路に要する部品・組立コストを削減できる電飾回転体を提供する。【解決手段】  回転軸方向両側で軸支された回転体本体２を、その一方側から回転力を与えて回転させ、その外周に設けられた電飾用素子３Ａ〜３Ｌ（３Ｆ〜３Ｌは図示省略）に電源を供給して点灯させ、電飾を行う電飾回転体１において、回転体本体２に設けられた電飾用素子への電源の供給を、回転体本体２と共に回転する発電モータ８の発電電力により行う。電飾用素子への電源を電飾用素子と同じ回転側から送ることにより、静止側及び回転側相互間における電源供給路を不要とし、この電源供給路に起因するノイズの発生を防止し、部品数や組立工数を削減した。【選択図】        図１
2005177154.tif 000002
【特許請求の範囲】
【請求項１】
回転軸方向の両側で軸支された回転体本体を、その回転軸方向の一方側から回転力を与えて回転させつつその外周に設けられた電飾用素子に電源を供給してその電飾用素子を点灯させ、電飾を行う電飾回転体において、
本体が前記回転体本体の回転軸方向の他方側に固着されてその回転軸方向の他方側における回転体本体回転軸に兼用され、回転軸が前記回転体本体から離れた静止部に支持固定された発電モータを備え、
前記回転体本体の回転によって回転する前記発電モータの発電電力を前記電飾用素子への供給電源として用いることを特徴とする電飾回転体。
【請求項２】
請求項１に記載の電飾回転体において、
回転体本体に受光部が設けられ、その回転体本体から離れた静止部であって同回転体本体の回転中に前記受光部に周期的に近接対向する位置に発光部が設けられた光信号伝送手段と、
前記回転体本体に設けられ、前記光信号伝送手段を介して制御信号を受けて電飾用素子を点消灯制御する点消灯制御回路とを備えることを特徴とする電飾回転体。
【請求項３】
請求項２に記載の電飾回転体において、
電飾用素子が回転体本体の外周に沿って複数個設けられ、
点消灯制御回路は、前記回転体本体の回転開始後における光信号伝送手段の受光部からのパルス状の制御信号に応じて各々定められた前記複数個の電飾用素子のうちの特定の電飾用素子を点消灯制御することを特徴とする電飾回転体。
【発明の詳細な説明】
【技術分野】
【０００１】
本発明は、スロットマシンやパチスロ機等のリールに好適な電飾回転体に関するものである。
【背景技術】
【０００２】
例えばパチスロ機においては、左右方向に向けられた回転軸を中心に回転するリール（ドラムあるいは回胴とも称される）が左右方向に通常３つ並べられ、各リールは、独立して回転可能であり、その外周面には複数種類の図柄が配列されている。
このパチスロ機は、コイン投入口にコイン（メダル）を投入し、レバーを操作すると上記３つのリールが回転し、各リールに対応して設けられたストップ釦を押す毎にリールが停止する。３つのリールが停止した時に入賞ライン上の図柄の組合せが所定の組合せと一致したときに当りとなって適宜数のコインが払い出される。
【０００３】
ところで従来から、上記リールを発光（点灯）させる方法が提案されている。当初はリール全体を点灯、消灯させるものであったが、最近では所望の図柄毎に点灯、消灯できるようなリールが提案されている。
その一例として、後掲特許文献１に開示されたリールがある。このリールは、発光源にＬＥＤ等の発光素子が用いられ、したがって、この発光素子への電源供給手段を有している。
この電源供給手段は、リール側面に設けられ、このリールと共に回転する電源供給基板の平面にバネ力を受けた金属ピンが接触（摺接）することにより、静止側（非回転側）の電源を、上記金属ピンを介して回転側の電源供給基板に供給し、更にこの基板から発光素子に供給するというものである。
【特許文献１】特開２０００-３２５５３１号公報
【発明の開示】
【発明が解決しようとする課題】
【０００４】
しかしながら上記従来技術では、電源供給基板に金属ピンが摺接するという構造であるためノイズが発生しやすい。しかも上記金属ピンや、これにバネ力を与えるためのバネは、図柄の数に応じて設けられた多数の発光素子毎に設けられるので、ノイズ発生源も多数箇所となり、電源供給や周辺回路部分の制御において誤動作を生じさせる虞があった。
また、上記のように金属ピンやバネは多数設けられるので、発光素子への電源供給路を構成するための部品や組立に要するコストが上昇するという問題もあった。
更に、リールの静止側及び回転側相互間において制御信号の送受信（信号ライン）が必要な場合に、上記のような電源供給基板と金属ピンを用いた構成が適用された場合には、信号ラインについても上記電源供給路の構成（電源ライン）におけると同様の問題を生じさせた。
【０００５】
特許請求の範囲の請求項１に記載の発明は、上記従来技術の問題を解消するためになされたもので、電飾用素子（発光素子等）への電源供給や周辺回路部分の制御において誤動作をなくし、また、静止側及び回転側相互間における電源供給路に要する部品や組立にかかるコストを削減できる電飾回転体を提供することを目的とする。
請求項２に記載の発明は、請求項１に記載の発明において、回転体本体に電飾用素子の点消灯制御回路を設け、電飾用素子を点消灯制御する場合に、請求項１の発明の効果を損なうことなく、電飾用素子の正確な点消灯制御が可能な電飾回転体を提供することを目的とする。
同請求項３に記載の発明は、請求項２に記載の発明において、電飾用素子を回転体本体の外周に沿って複数個設ける場合に、その複数個の電飾用素子のうちの所望の電飾用素子の正確な点消灯制御が可能な電飾回転体を提供することを目的とする。
【課題を解決するための手段】
【０００６】
上記目的を達成するために、特許請求の範囲の請求項１に記載の発明は、回転軸方向の両側で軸支された回転体本体を、その回転軸方向の一方側から回転力を与えて回転させつつその外周に設けられた電飾用素子に電源を供給してその電飾用素子を点灯させ、電飾を行う電飾回転体において、本体が前記回転体本体の回転軸方向の他方側に固着されてその回転軸方向の他方側における回転体本体回転軸に兼用され、回転軸が前記回転体本体から離れた静止部に支持固定された発電モータを備え、前記回転体本体の回転によって回転する前記発電モータの発電電力を前記電飾用素子への供給電源として用いることを特徴とする。
また、特許請求の範囲の請求項２に記載の発明は、上記請求項１に記載の発明において、回転体本体に受光部が設けられ、その回転体本体から離れた静止部であって同回転体本体の回転中に前記受光部に周期的に近接対向する位置に発光部が設けられた光信号伝送手段と、前記回転体本体に設けられ、前記光信号伝送手段を介して制御信号を受けて電飾用素子を点消灯制御する点消灯制御回路とを備えることを特徴とする。
更に、特許請求の範囲の請求項３に記載の発明は、上記請求項２に記載の発明において、電飾用素子が回転体本体の外周に沿って複数個設けられ、
点消灯制御回路は、前記回転体本体の回転開始後における光信号伝送手段の受光部からのパルス状の制御信号に応じて各々定められた前記複数個の電飾用素子のうちの特定の電飾用素子を点消灯制御することを特徴とする。
【発明の効果】
【０００７】
特許請求の範囲の請求項１に記載の発明は、回転体本体に設けられた電飾用素子へは、同回転体本体と共に回転する発電モータから電源供給される構成とした。つまり、電源供給路に機械的な接触部分、特に摺動部分をもたない構成とした。したがって、従来技術において問題となっていたノイズの発生が防止され、電飾用素子への電源供給や周辺回路部分の制御において誤動作をなくすことができる。また、静止側及び回転側相互間における電源供給路が不要となり、従来技術において必要とした部品や組立にかかるコストが削減できる。特に、摺動部分をもつ電源供給路はコスト高になるので、上記部品や組立コストが削減できる効果は大となる。
また、特許請求の範囲の請求項２に記載の発明によれば、請求項１に記載の発明において、電飾用素子を静止側から点消灯制御する場合に、回転体本体に点消灯制御回路を設け、この点消灯制御回路への静止側からの制御信号を光信号伝送手段によって送る構成とした。これによれば、制御信号の伝送媒体は光であって、非接触形の信号伝送となり、したがって、電飾用素子への電源供給のみならず、制御信号の伝送についてもノイズの発生を防止できる。つまり、請求項１に記載の発明の効果を損なうことなく、電飾用素子の正確な点消灯制御が可能となる。
更に、特許請求の範囲の請求項３に記載の発明によれば、請求項２に記載の発明において、電飾用素子を回転体本体の外周に沿って複数個設ける場合に、光信号伝送手段からのパルス状の制御信号に応じて複数個の電飾用素子のうちの特定の電飾用素子を点消灯制御する構成とした。したがって、複数個の電飾用素子のうちの所望の電飾用素子の正確な点消灯制御が可能となる。しかも制御信号系は一系統ですみ、簡単な構成で多様な電飾を行える。
特許請求の範囲の請求項２及び３に記載の発明において、制御信号の伝送媒体が光であることによれば、同じ非接触形の信号伝送を行うものでも電磁気的なもの、例えばリードスイッチ等を用いたものに比べて、電磁気的なノイズの発生、あるいは誘導に起因する誤動作を生起させず、また伝送応答が極めて高速である等の効果が得られる。
【発明を実施するための最良の形態】
【０００８】
以下、本発明の実施の形態を図面に基づき説明する。なお、各図間において、同一符号は同一又は相当部分を示す。
図１は本発明による電飾回転体の一実施形態の概略分解斜視図、図２は図１中の電飾回転体の組立後の概略斜視図である。
図示するように、電飾回転体１は、回転軸方向（図中左右方向）両側で軸支された回転体本体２を、その回転軸方向の一方側、図示例では左側から回転力を与えて回転させつつその外周に設けられた電飾用素子３に電源を供給してその電飾用素子３を点灯させ、電飾を行うものである。
【０００９】
ここで上記回転力は、回転体本体２の回転中心軸イ（回転体本体２の左側板４中心）に回転軸５ａが芯合わせされた状態で連結された回転駆動用モータ５の回転により与えられる。この回転駆動用モータ５は、本体５ｂが回転体本体２の左固定板６に固着され、モータ配線７を介し電源供給されて回転可能である。回転駆動用モータ５としては、ここでは直流モータが用いられ、直流電源の極性を反転させることにより正逆転自在である。
【００１０】
また、回転体本体２の回転軸方向の他方側、図示例では右側には、発電モータ８の本体８ｂが、その発電モータ８の回転軸８ａの中心軸と回転体本体２の回転中心軸イ（回転体本体２の右側板９中心）とが、芯合わせされた状態で固着され、回転体本体２の回転軸方向右側における回転軸に兼用されている。
発電モータ８の回転軸８ａは、回転体本体２に対して外側に向けられて回転体本体２の右固定板１０に支持固定されており、回転体本体２の回転によって発電モータ８が回転可能、すなわち発電可能に構成されている。
発電モータ８は、このように回転軸８ａが固定されて本体８ｂが回転、つまり通常とは逆の回転のさせ方をしているが、回転軸８ａ及び本体８ｂ間において相対的に回転していれば発電は可能である。
【００１１】
上記電飾用素子３は、回転体本体２の外周に沿って複数個、図示例では回転体本体２の図示上下方向断面がほぼ正１２角形を形成するように１２個（３Ａ〜３Ｌ）設けられ、各々が専用の素子配線１１（１１Ａ〜１１Ｌ）を介して点消灯制御回路１３の制御出力端に接続されている。
この電飾用素子３（３Ａ〜３Ｌ）は、ＬＥＤ、ランプ、有機ＥＬ等の発光素子あるいは発光素子群、ここでは数字等の図柄を表示可能な発光素子群からなり、回転体本体２の外周面板に兼用された電飾基板１２（１２Ａ〜１２Ｌ）の外面に設けられている。また、上記点消灯制御回路１３は、回転体本体２の右側板９の内面に設けられている。
なお、電飾用素子３Ｆ〜３Ｌ、素子配線１１Ｆ〜１１Ｌ、電飾基板１２Ｆ〜１２Ｌについては、図示が省略されている。
【００１２】
上記回転体本体２の右側板９には光信号伝送手段１４の受光部（光−電気信号変換器）１４ｂが設けられている。光信号伝送手段１４の発光部（電気信号−光
変換器）１４ａは、回転体本体２から離れた静止部（非回転部）、図示例では右固定板１０に設けられている。この場合、発光部１４ａは、回転体本体２の回転中に上記受光部１４ｂに周期的に近接対向する位置に設けられている。
発光部１４ａとしてはＬＥＤ等が用いられ、受光部１４ｂとしてはフォトトランジスタ等が用いられる。後述主制御回路に設定された条件に基づいて発光部１４ａを発光させ、これを受光部１４ｂで受光（検出）させることによって、電飾用素子３（３Ａ〜３Ｌ）を点消灯制御できる。なお、受光部１４ｂは回転移動しているので上記受光は一瞬となり、パルス信号として検出されるに過ぎないが、上記点消灯制御用としては充分である。
【００１３】
上記点消灯制御回路１３は、光信号伝送手段１４の受光部１４ｂからのパルス状の制御信号に応じて各々定められた１２個の電飾用素子３（３Ａ〜３Ｌ）のうちの特定の電飾用素子３を点消灯制御する回路である。
点消灯制御回路１３によって開閉制御される電飾用素子３の電源端子（図示せず）には発電モータ８の発電出力端子が接続されており、回転体本体２の回転によって回転する発電モータ８の発電電力が各電飾用素子３（３Ａ〜３Ｌ）の点灯用電源として供給される。
このように、発電モータ８の発電電力が電飾用素子３の点灯用電源として供給される場合には、発電モータ８が回転している時以外は電源が供給されないこととなる。そこで、例えば発電モータ８の発電出力部にコンデンサ等を用いた充電回路を接続し、回転体本体２の回転が停止しても、その充電回路から一定時間、電飾用素子３の点灯用電源が供給されるようにしてもよい。
なお、点消灯制御回路１３自身の駆動電源にも発電モータ８の発電電力が用いられる。
【００１４】
図３は、図１に示す電飾回転体１及びその回転・電飾を制御する回路の一例を示すブロック図で、以下、このような電飾回転体１の制御動作例について図３を併用して説明する。
図示するように主制御回路３１は、電飾回転体１とは離れた静止（非回転）位置に、本体３２と、この本体３２のプログラム実行により制御される回転制御回路３３及び電飾制御回路３４とを備えて構成されている。この主制御回路３１は、外部からの電源（図示せず）が供給されて作動する。
【００１５】
上記回転制御回路３３は、電飾回転体１（回転体本体２）の回転パターンを制御する回路であり、その制御出力端子には回転駆動用モータ５が接続されている。この回転駆動用モータ５は、回転制御回路３３からの制御信号に応じて回転し、電飾回転体１の回転側部分（図中の破線を境に右側部分）、つまり、回転体本体２、電飾用素子３、回転駆動用モータ５の回転軸５ａ、発電モータ８の本体８ｂ、受光部１４ｂ、点消灯制御回路１３等を一体に回転させる。
回転駆動用モータ５が回転すると発電モータ８が発電動作し、その発電電力が、点消灯制御回路１３の駆動電源や電飾用素子３の点灯用電源として点消灯制御回路１３、電飾用素子３に供給される。
【００１６】
上記電飾制御回路３４は、電飾用素子３Ａ〜３Ｌの点消灯を制御する回路であり、その制御出力端子には光信号伝送手段１４の発光部１４ａが接続されている。この発光部１４ａは、電飾制御回路３４からの制御信号に応じて発光ＯＮ／ＯＦＦ制御（点消灯制御）され、光信号伝送手段１４の受光部１４ｂを介して点消灯制御回路１３にパルス状の制御信号を与え、電飾用素子３を電飾制御回路３４に設定された指令通りに点消灯制御する。
【００１７】
次に、図１、図３に示す構成の電飾回転体１の具体的な制御動作例について、図４、図５に示すタイムチャートを参照して説明する。
図４、図５において、（ａ）は主制御回路３１の本体３２において基本クロックを分周して得られた制御用クロックＣＬＫ、（ｂ）は本体３２から回転制御回路３３に与えられる回転開始指令Ｓ１、（ｃ）は電飾用素子３Ａ〜３Ｌ面（以下、電飾面Ａ〜Ｌと記す。）のうち、電飾回転体１（回転体本体２）の正面に向いている電飾面を示す。また、（ｄ）は電飾制御回路３４により制御される光信号伝送手段１４の発光部１４ａの発光ＯＮ／ＯＦＦ状態（点消灯状態）、（ｅ）は同受光部１４ｂから出力される制御信号（パルス）、（ｆ）は電飾面Ａの点消灯状態、（ｇ）は電飾面Ｂの点消灯状態を示す。
なお、図４（ｃ）、図５（ｃ）において、「Ｇ」が四角形で囲まれているのは、電飾面Ｇが電飾回転体１の正面を向いている時に、光信号伝送手段１４の受光部１４ｂが発光部１４ａを検出するように構成されていることを意味する。
【００１８】
まず、回転体本体２の停止時においては電飾面Ａ（電飾用素子３Ａ面）が電飾回転体１の正面を向いている（図４（ｂ），（ｃ）、図５（ｂ），（ｃ）参照）。
ここで、本体３２から回転制御回路３３に回転開始指令Ｓ１〔図４（ｂ）、図５（ｂ）参照〕が与えられると、回転駆動用モータ５が駆動され、回転体本体２が回転を開始する。回転体本体２が回転を開始すると、光信号伝送手段１４の発光部１４ａは、制御用クロックＣＬＫの１２パルス分（回転体本体２、つまり電飾面Ａ〜Ｌが１周する間）、発光ＯＮ（点灯）する〔図４（ｃ），（ｄ）、図５（ｃ），（ｄ）参照〕。
【００１９】
上述したように、電飾面Ｇが電飾回転体１の正面を向いている時に、受光部１４ｂが発光部１４ａ（発光ＯＮ）を検出するようになされているので、制御用クロックＣＬＫが１２パルス発生し、電飾面Ａ〜Ｌが１周する間には、電飾面Ｇが電飾回転体１の正面を向いている時に１回だけ、パルス状の制御信号が受光部１４ｂから出力される〔図４（ｄ），（ｅ）参照〕。
また、制御用クロックＣＬＫが２４パルス発生し、電飾面Ａ〜Ｌが２周する間には、電飾面Ｇが電飾回転体１の正面を向いている時に各１回、合計２回、パルス状の制御信号が受光部１４ｂから出力される〔図５（ｄ），（ｅ）参照〕。
図示しないが、更に、制御用クロックＣＬＫが３６パルス発生し、電飾面Ａ〜Ｌが３周する間には、合計３回、パルス状の制御信号が受光部１４ｂから出力される。つまり、制御用クロックＣＬＫが１２×ｎ（ｎは正の整数）パルス発生し、電飾面Ａ〜Ｌがｎ周する間には、合計ｎ回、パルス状の制御信号が受光部１４ｂから出力される。
受光部１４ｂからのパルス状の制御信号は、以上の各場合において、受光部１４ｂから点消灯制御回路１３に与えられる。
【００２０】
ここで、回転体本体２の回転開始後に受光部１４ｂから出力される、つまり点消灯制御回路１３が受けるパルス状の制御信号の状態、具体的には受信パルス数に応じて特定の電飾用素子３（３Ａ〜３Ｌのいずれか）を点灯するように点消灯制御回路１３を設定しておけば、受光部１４ｂから出力されるパルス数に応じて特定の電飾用素子、つまり電飾面を点灯するようになる。
受光部１４ｂから出力されるパルス数は、電飾面Ａ〜Ｌ（回転体本体２）の回転回数に比例し、この回転回数を指令する主制御回路本体３２から回転制御回路３３への回転指令で制御できる。つまり、主制御回路本体３２からの指令によって点灯させる電飾用素子３Ａ〜３Ｌ、すなわち電飾面Ａ〜Ｌを特定できる。
また主制御回路本体３２は、回転制御回路３３を制御して電飾面Ａ〜Ｌのうち所望の電飾面が電飾回転体１の正面を向いている時に停止させ得る。
【００２１】
したがって図３に示す構成によれば、主制御回路３１は、電飾面Ａ〜Ｌの回転開始後、それが所望回数回転させた後に所望電飾面を点灯させた状態で、その電飾面を電飾回転体１の正面に向けて停止させ得る。
図４（ｆ）は、電飾面Ａ（電飾用素子３Ａ面）が、点灯してからほぼ１回転後に電飾回転体１の正面に向いて停止する様子を示しており、また図５（ｇ）は、電飾面Ｂ（電飾用素子３Ｂ面）が、点灯してからほぼ１回転後に電飾回転体１の正面に向いて停止する様子を示している。
【００２２】
このような実施形態によれば、上述した本発明の効果に加え、電飾用素子３（３Ａ〜３Ｌ）の点消灯制御を回転体本体１の回転制御と協働させることによって、予め定めた電飾用素子３（３Ａ〜３Ｌのいずれか）を点灯させた状態で、その面（電飾面）を電飾回転体１の正面に向かせて停止させることができるという効果もある。
なお図６は、図１中の電飾回転体１が適用されたパチスロ機のリール部分の一例を示す斜視図で、ここでは、図２に示すように組み立てられた電飾回転体１がその回転軸方向に３個並設されて１個のリール部分を構成した例を示している。
【図面の簡単な説明】
【００２３】
【図１】本発明による電飾回転体の一実施形態の概略分解斜視図である。
【図２】図１中の電飾回転体の組立後の概略斜視図である。
【図３】図１中の電飾回転体の回転及び電飾を制御する回路の一例を示すブロック図である。
【図４】図１中の電飾回転体の具体的な制御動作例（その１）を示すタイムチャートである。
【図５】図１中の電飾回転体の具体的な制御動作例（その２）を示すタイムチャートである。
【図６】図１中の電飾回転体が適用されたパチスロ機のリール部分の一例を示す斜視図である。
【符号の説明】
【００２４】
１：電飾回転体、２：回転体本体、３（３Ａ〜３Ｌ）：電飾用素子、５：回転駆動用モータ、５ａ：回転駆動用モータの回転軸、５ｂ：回転駆動用モータの本体、８：発電モータ、８ａ：発電モータの回転軸、８ｂ：発電モータの本体、１３：点消灯制御回路、１４：光信号伝送手段、１４ａ：発光部、１４ｂ：受光部、イ：回転体本体の回転中心軸。
【図１】
2005177154.tif 000003
【図２】
2005177154.tif 000004
【図３】
2005177154.tif 000005
【図４】
2005177154.tif 000006
【図５】
2005177154.tif 000007
【図６】
2005177154.tif 000008